(57)【要約】      （修正有）【課題】全体の構造が簡単化され、制御が簡易で製品寿命を延ばすことができるバルブ開閉装置を提供する。【解決手段】収容体１０と、制御ステム２０と、を含み、前記収容体１０は、仕切板１１と、台座部１２と、を含み、前記仕切板１１は第一貫通孔を有し、前記台座部１２は、前記第一貫通孔に対応する第二貫通孔を有し、前記制御ステム２０は前記第一貫通孔と第二貫通孔に挿通されているバルブ開閉装置において、前記仕切板１１と前記台座部１２の対向する位置には、第一レール部１１２と第二レール部１２４がそれぞれ設けられており、前記第一レール部１１２と第二レール部１２４の間には変位レールＴが形成されており、前記変位レールＴ内には、第一位置決めセクションＴ１と、第二位置決めセクションＴ２と、が少なくとも設けられており、前記制御ステム２０は、水止具２１と、位置決めリング２２と、を有する。【選択図】図１
0003146529.tif 000002
【実用新案登録請求の範囲】
【請求項１】
収容体１０と、制御ステム２０と、を含み、前記収容体１０は、前記収容体１０の内部の空間を第一空間１０１と第二空間１０２とに分けるための仕切板１１と、前記収容体１０の底部に設けられており複数の出水孔１２１を有する台座部１２と、を含み、前記仕切板１１は、前記第一空間１０１と第二空間１０２を連通する第一貫通孔１１１を有し、前記台座部１２は、前記第一貫通孔１１１に対応する第二貫通孔１２２を有し、前記制御ステム２０は前記第一貫通孔１１１と第二貫通孔１２２に挿通されているバルブ開閉装置において、
前記仕切板１１と前記台座部１２の対向する位置には、第一レール部１１２と第二レール部１２４がそれぞれ設けられており、前記第一レール部１１２と第二レール部１２４の間には変位レールＴが形成されており、前記変位レールＴ内には、第一位置決めセクションＴ１と、第二位置決めセクションＴ２と、が少なくとも設けられており、前記制御ステム２０は、前記第一貫通孔１１１が設けられており前記第一空間１０１と第二空間１０２を仕切るための水止具２１と、前記制御ステム２０に移動自在に嵌められている位置決めリング２２と、を有し、前記位置決めリング２２には、前記変位レールＴ内に設けられている位置決め突起２２１が少なくとも一つ設けられており、前記位置決めリング２２は、前記位置決め突起２２１により第一位置決めセクションＴ１、又は第二位置決めセクションＴ２に移動可能であり、これにより、連動される前記制御ステム２０は、前記第一空間１０１と第二空間１０２を連通する出水位置、又は前記第一空間１０１と第二空間１０２を仕切る水止位置に位置されることを特徴とする
バルブ開閉装置。
【請求項２】
前記収容体１０の外面には、更に、ブッシュ３０が嵌められていることを特徴とする、請求項１に記載のバルブ開閉装置。
【請求項３】
前記収容体１０の第一空間１０１にはろ過ユニット１３が設けられていることを特徴とする、請求項１に記載のバルブ開閉装置。
【請求項４】
前記水止具２１は膨大部２１２を有することを特徴とする、請求項１に記載のバルブ開閉装置。
【請求項５】
前記第一レール部１１２は、互いに対応する複数の第一ガイド具１１３を含み、前記第一ガイド具１１３には第一ガイド斜面１１４がそれぞれ設けられており、これらの第一ガイド具１１３同士の間には第一隙間１１５がそれぞれ設けられていることを特徴とする、請求項１に記載のバルブ開閉装置。
【請求項６】
前記第二レール部１２４は、互いに対応する複数の第二ガイド具１２５を含み、前記第二ガイド具１２５には第二ガイド斜面１２６がそれぞれ設けられており、これらの第二ガイド具１２５同士の間には第二隙間１２７がそれぞれ設けられていることを特徴とする、請求項１に記載のバルブ開閉装置。
【請求項７】
前記第一位置決めセクションＴ１は前記第二隙間１２７の内部に位置されていることを特徴とする、請求項６に記載のバルブ開閉装置。
【請求項８】
前記第二位置決めセクションＴ２は前記第二ガイド斜面１２６に位置されていることを特徴とする、請求項６に記載のバルブ開閉装置。
【請求項９】
前記位置決めリング２２はＣ止め輪であることを特徴とする、請求項１に記載のバルブ開閉装置。
【請求項１０】
前記制御ステム２０と前記台座部１２とには、規制レール１２８と、前記規制レール１２８に対応し前記規制レール１２８を摺動可能な規制具２５と、を少なくとも一つ設けられていることを特徴とする、請求項１に記載のバルブ開閉装置。
【請求項１１】
前記台座部１２には第一組合せ部１２３が設けられており、前記収容体１０には、前記第一組合せ部１２３に対応する第二組合せ部１０３が設けられていることを特徴とする、請求項１に記載のバルブ開閉装置。
【考案の詳細な説明】
【技術分野】
【０００１】
本考案は、バルブ開閉装置に関し、特に、制御が簡易になるバルブ開閉装置に関するものである。
【背景技術】
【０００２】
市販している水制御装置は、機械式の蛇口がよく見られる。機械式の蛇口の操作は、蛇口のハンドルを回転することによって蛇口の開閉を切り替える。しかし、ハンドルの回転角度が不十分である場合には、蛇口を完全に閉めることができない。
また、もう一種類の水制御装置は、赤外線感応によって蛇口を開閉する。すなわち、赤外線センサーの近傍に手を置くと、蛇口の開閉を切り替えることができる。しかし、赤外線センサーは、高価であり、そして損壊し易い。
【０００３】
従来のバルブ開閉装置は、例えば米国特許US 4,512,551号及び米国特許US 5,286,000号に開示したように、蛇口の出水箇所では調節ロッドが設けられており、前記調節ロッドは前記出水口を閉めることが可能な密封構造を有し、ユーザが前記調節ロッドの角度を変化させると、蛇口の開閉を制御することができる。しかし、このようなバルブ開閉装置によれば、前記調節ロッドの角度によって水を有効に止めることができない可能性がある。もう一種類のバルブ開閉装置は、台湾特許第575121号、米国特許US 5,131,622号、米国特許US 5,704,397号及び米国特許US 6,131,608号に開示されたように、水止効果を向上するために、バルブ開閉装置の内部にはバネが増設されている。しかし、前記バネが弾性疲労になると、水を有効に止めることができない。
【０００４】
また、台湾特許第I228578号、台湾特許第I271484号、米国特許US 4,456,222号、米国特許US 4,771,985号、米国特許US 5,651,531号及び米国特許US 6,942,195号には、バネレス式のバルブ開閉装置が開示され、これらのバルブ開閉装置においては、その内部と調節ロッドとにはつめ車構成がそれぞれ増設されており、水圧及びユーザの手の加える力によって前記調節ロッドが相違する位置に位置決められ、これにより、蛇口の開閉を制御することができる。しかし、このようなバルブ開閉装置によれば、その構成が複雑であるので、組付作業が困難であり、そして構造の安定性が低い。
【考案の開示】
【考案が解決しようとする課題】
【０００５】
本考案の主な目的は、全体の構造が簡単化され、製品寿命を延ばすことができるバルブ開閉装置を提供することにある。
【課題を解決するための手段】
【０００６】
本考案の請求項１に記載のバルブ開閉装置によると、収容体と、制御ステムと、を含み、前記収容体は、前記収容体の内部の空間を第一空間と第二空間とに分けるための仕切板と、前記収容体の底部に設けられており複数の出水孔を有する台座部と、を含み、前記仕切板は、前記第一空間と第二空間を連通する第一貫通孔を有し、前記台座部は、前記第一貫通孔に対応する第二貫通孔を有し、前記制御ステムは前記第一貫通孔と第二貫通孔に挿通されているバルブ開閉装置において、前記仕切板と前記台座部の対向する位置には、第一レール部と第二レール部がそれぞれ設けられており、前記第一レール部と第二レール部の間には変位レールＴが形成されており、前記変位レール内には、第一位置決めセクションと、第二位置決めセクションと、が少なくとも設けられており、前記制御ステムは、前記第一貫通孔が設けられており前記第一空間と第二空間を仕切るための水止具と、前記制御ステムに移動自在に嵌められている位置決めリングと、を有し、前記位置決めリングには、前記変位レール内に設けられている位置決め突起が少なくとも一つ設けられており、前記位置決めリングは、前記位置決め突起により第一位置決めセクション、又は第二位置決めセクションに移動可能であり、これにより、連動される前記制御ステムは、前記第一空間と第二空間を連通する出水位置、又は前記第一空間と第二空間を仕切る水止位置に位置されることを特徴とするバルブ開閉装置である。
【０００７】
本考案の請求項２に記載のバルブ開閉装置によると、前記収容体の外面には、更に、ブッシュが嵌められている。
本考案の請求項３に記載のバルブ開閉装置によると、前記収容体の第一空間にはろ過ユニットが設けられている。
【０００８】
本考案の請求項４に記載のバルブ開閉装置によると、前記水止具は膨大部（拡大部）を有する。
本考案の請求項５に記載のバルブ開閉装置によると、前記第一レール部は、互いに対応する複数の第一ガイド具を含み、前記第一ガイド具には第一ガイド斜面がそれぞれ設けられており、これらの第一ガイド具同士の間には第一隙間がそれぞれ設けられている。
【０００９】
本考案の請求項６に記載のバルブ開閉装置によると、前記第二レール部は、互いに対応する複数の第二ガイド具を含み、前記第二ガイド具には第二ガイド斜面がそれぞれ設けられており、これらの第二ガイド具同士の間には第二隙間がそれぞれ設けられている。
本考案の請求項７に記載のバルブ開閉装置によると、前記第一位置決めセクションは前記第二隙間の内部に位置されている。
【００１０】
本考案の請求項８に記載のバルブ開閉装置によると、前記第二位置決めセクションは前記第二ガイド斜面に位置されている。
本考案の請求項９に記載のバルブ開閉装置によると、前記位置決めリングはＣ止め輪である。
【００１１】
本考案の請求項１０に記載のバルブ開閉装置によると、前記制御ステムと前記台座部とには、規制レールと、前記規制レールに対応し前記規制レールを摺動可能な規制具と、を少なくとも一つ設けられている。
本考案の請求項１１に記載のバルブ開閉装置によると、前記台座部には第一組合せ部が設けられており、前記収容体には、前記第一組合せ部に対応する第二組合せ部が設けられている。
【考案の効果】
【００１２】
本考案のバルブ開閉装置によれば、次のような効果がある。
（１）構造が簡単であり、製造及び組立が容易になり、生産コストが低減する。
（２）水圧によって制御ステムの水止具を第一貫通孔に合せることができるので、バネを別に設けることが必要なくなる。
【００１３】
（３）制御ステムの位置決めリングが制御ステムに移動自在に嵌められており、且つ制御ステムと台座部とには、規制具と、規制具に対応する規制レールと、がそれぞれ設けられており、これにより、制御ステムは規制レールに沿って変位可能であり、構造間の磨耗が減少し、製品寿命を延ばすことができる。
【考案を実施するための最良の形態】
【００１４】
以下、本考案の実施の形態を図面に基づいて説明する。
まず、図１、図２Ａ、図２Ｂ及び図３を参照する。図１は本考案の実施例に係るバルブ開閉装置の透視図であり、図２Ａ及び図２Ｂは本考案の実施例に係るバルブ開閉装置の分解斜視図であり、図３は本考案の実施例に係るバルブ開閉装置が蛇口に組み付けられた状態の概略図である。本考案に係るバルブ開閉装置は、収容体１０と、制御ステム２０と、を含む。前記収容体１０は、前記収容体１０の内部の空間を第一空間１０１と第二空間１０２とに分けるための仕切板１１と、前記収容体１０の底部に設けられており複数の出水孔１２１を有する台座部１２と、を含む。前記仕切板１１は、前記第一空間１０１と第二空間１０２を連通する第一貫通孔１１１を有し、前記台座部１２は、前記第一貫通孔１１１に対応する第二貫通孔１２２を有する。前記台座部１２と前記収容体１０とは、分離する部材であり、第一組合せ部１２３と、前記第一組合せ部１２３に対応する第二組合せ部１０３と、をそれぞれ有し、前記収容体１０の底部に前記台座部１２を組付けることができる。本実施例では、前記収容体１０の外面には、更に、ブッシュ３０が嵌められており、供水源４０に前記ブッシュ３０を固定してもよく、前記供水源４０は、水管でもいいし、蛇口でもよい。本考案がろ過機能を有するために、前記収容体１０の第一空間１０１の内部にはろ過ユニット１３が設けられている。
【００１５】
前記制御ステム２０は前記第一貫通孔１１１と第二貫通孔１２２に挿通されており、前記制御ステム２０は、前記第一貫通孔１１１が設けられており前記第一空間１０１と第二空間１０２を仕切るための水止具２１と、前記制御ステム２０に移動自在に嵌められている位置決めリング２２と、を有する。組付作業を容易にするために、前記位置決めリング２２はＣ止め輪である。本実施例では、前記第一空間１０１からの水流による水圧を受けるために、水止具２１の頂端に膨大部２１２が設けられており、第一貫通孔１１１に密封に合せることができる。
【００１６】
前記制御ステム２０によって水流の開閉を制御するために、前記仕切板１１と前記台座部１２の対向する位置には、第一レール部１１２と第二レール部１２４がそれぞれ設けられており、前記第一レール部１１２と第二レール部１２４の間には変位レールＴが形成されている。前記位置決めリング２２には、前記変位レールＴ内に位置されている位置決め突起２２１が設けられている。本実施例では、前記第一レール部１１２は、互いに対応する複数の第一ガイド具１１３を含み、前記第一ガイド具１１３には第一ガイド斜面１１４がそれぞれ設けられており、これらの第一ガイド具１１３同士の間には第一隙間１１５がそれぞれ設けられており、前記第二レール部１２４は、互いに対応する複数の第二ガイド具１２５を含み、前記第二ガイド具１２５には第二ガイド斜面１２６がそれぞれ設けられており、これらの第二ガイド具１２５同士の間には第二隙間１２７がそれぞれ設けられている。前記変位レールＴ内には、第一位置決めセクションＴ１と、第二位置決めセクションＴ２と、が少なくとも設けられており、前記第一位置決めセクションＴ１が前記第二ガイド具１２５の第二隙間１２７内に位置されており、前記第二位置決めセクションＴ２が第二ガイド斜面１２６に位置されている。また、前記制御ステム２０が水圧及びユーザの手による操作だけに従って移動するために、前記制御ステム２０と前記台座部１２とには、規制レール１２８と、前記規制レール１２８に対応し前記規制レール１２８を摺動可能な規制具２５と、を少なくとも一つ設けられている。
【００１７】
次に、図１、図４Ａ及び図４Ｂを参照する。本考案に係る制御ステム２０は、水止位置と、供水位置と、を含む。前記制御ステム２０が水止位置に位置されているときには、図１に示すように、前記位置決めリング２２の位置決め突起２２１が第二レール部１２４の第二隙間１２７内の第一位置決めセクションＴ１に位置されている。このとき、前記第一空間１０１からの水圧によって前記制御ステム２０の水止具２１が前記仕切板１１に押付けられており、これにより、前記第一貫通孔１１１が封鎖され、水が第一空間１０１から第二空間１０２に流すことができなくなる。ユーザが前記制御ステム２０を押えているときには、前記位置決めリング２２が上昇して、前記位置決め突起２２１は、図４Ａに示すように、第二隙間１２７内の第一位置決めセクションＴ１から離脱して、前記第一レール部１１２の第一ガイド具１１３と接触する。前記第一ガイド具１１３と接触する前記位置決め突起２２１は、図４Ｂに示すように、前記第一ガイド斜面１１４に沿って第一隙間１１５に至る。前記制御ステム２０は、図４Ｃに示すように、ユーザによる上昇力がなくなるときに、前記第一空間１０１からの水圧を受けて下に移動して、前記位置決めリング２２の位置決め突起２２１が第二ガイド斜面１２６に落ち込んで第二ガイド斜面１２６に沿って第二位置決めセクションＴ２に至る。このとき、前記制御ステム２０が供水位置に位置している。前記第二位置決めセクションＴ２の位置が前記第二位置決めセクションＴ１の位置よりも高いので、前記制御ステム２０の水止具２１を前記仕切板１１に緊密に押付けることができない。したがって、前記第一空間１０１内の水は、第一貫通孔１１１を経由して第二空間１０２に至って、前記台座部１２の出水孔１２１から流出して、品物を洗浄することができる。
【００１８】
品物の洗浄が終了して、前記制御ステム２０を押上げると、図４Ｄに示すように、前記位置決めリング２２の位置決め突起２２１が前記第一ガイド具１１３と接触する。図４Ｅに示すように、前記制御ステム２０は前記第一ガイド具の第一ガイド斜面１１４に沿って第一隙間１１５に至る。このとき、ユーザによる上昇力がなくなる前記制御ステム２０は、図４Ｆに示すように、第一空間１０１からの水圧を再び受けて下に移動し、これにより、前記位置決め突起２２１は、図１に示すように、第二ガイド具１２５に至って第二ガイド斜面１２６に沿って第二隙間１２７の第一位置決めセクションＴ１に落ち込む。このように、前記制御ステム２０の水止具２１が再び第一貫通孔１１１を封鎖し、水は第二空間１０２に流入することができず、このとき、前記制御ステム２０が水止位置に位置している。上記の作動の過程中に、位置決めリング２２だけが回動することにより前記位置決め突起２２１が前記変位レールＴを移動し、前記制御ステム２０は、前記規制具２５によって前記規制レール１２８を上下に摺動するが、回動することはない。
【００１９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２０】
【図１】本考案の実施例に係るバルブ開閉装置の透視図である。
【図２Ａ】本考案の実施例に係るバルブ開閉装置の分解斜視図である。
【図２Ｂ】本考案の実施例に係るバルブ開閉装置の分解斜視図である。
【図３】本考案の実施例に係るバルブ開閉装置が蛇口に組み付けられた状態の概略図である。
【図４Ａ】本考案の実施例に係るバルブ開閉装置の動作を示す分解図である。
【図４Ｂ】本考案の実施例に係るバルブ開閉装置の動作を示す分解図である。
【図４Ｃ】本考案の実施例に係るバルブ開閉装置の動作を示す分解図である。
【図４Ｄ】本考案の実施例に係るバルブ開閉装置の動作を示す分解図である。
【図４Ｅ】本考案の実施例に係るバルブ開閉装置の動作を示す分解図である。
【図４Ｆ】本考案の実施例に係るバルブ開閉装置の動作を示す分解図である。
【符号の説明】
【００２１】
１０：収容体、１１：仕切板、１２：台座部、１３：ろ過ユニット、２０：制御ステム、２１：水止具、２２：位置決めリング、２５：規制具、３０：ブッシュ、１０１：第一空間、１０２：第二空間、１１１：第一貫通孔、１１２：第一レール部、１１３：第一ガイド具、１１４：第一ガイド斜面、１１５：第一隙間、１２１：出水孔、１２２：第二貫通孔、１２３：第一組合せ部、１２４：第二レール部、１２８：規制レール、２２１：位置決め突起、２１２：膨大部、Ｔ：変位レール、Ｔ１：第一位置決めセクション、Ｔ２：第二位置決めセクション。 
【図１】
0003146529.tif 000003
【図２Ａ】
0003146529.tif 000004
【図２Ｂ】
0003146529.tif 000005
【図３】
0003146529.tif 000006
【図４Ａ】
0003146529.tif 000007
【図４Ｂ】
0003146529.tif 000008
【図４Ｃ】
0003146529.tif 000009
【図４Ｄ】
0003146529.tif 000010
【図４Ｅ】
0003146529.tif 000011
【図４Ｆ】
0003146529.tif 000012